(57)【要約】【課題】消費電力の増大を抑制しながら伝送特性を向上させることが可能な電力線通信装置を提供する。【解決手段】電力線通信装置は、通信信号を生成する通信部と、前記通信部によって生成された前記通信信号を受けるフィルタと、前記フィルタを通過した前記通信信号を増幅するアンプとを備え、前記フィルタは、前記通信信号の信号帯域の一部を減衰させる。【選択図】図１
2018037710.tif 000002
【特許請求の範囲】
【請求項１】
通信信号を生成する通信部と、
前記通信部によって生成された前記通信信号を受けるフィルタと、
前記フィルタを通過した前記通信信号を増幅するアンプとを備え、
前記フィルタは、前記通信信号の信号帯域の一部を減衰させる、電力線通信装置。
【請求項２】
前記電力線通信装置は、さらに、
前記通信部と前記アンプとの間に接続され、前記通信部によって生成された前記通信信号が、前記フィルタを通過して前記アンプへ出力されるか、前記フィルタを通過せずに前記アンプへ出力されるかを切り替える切り替え回路を備える、請求項１に記載の電力線通信装置。
【請求項３】
前記通信部は、生成した前記通信信号が、前記フィルタを通過せずに前記アンプへ出力される場合と比べて、前記フィルタを通過して前記アンプへ出力される場合の前記通信信号のレベルを大きくする、請求項２に記載の電力線通信装置。
【請求項４】
前記電力線通信装置は、太陽光発電装置およびパワーコンディショナの接続された電力線へ前記通信信号を出力する、請求項１から請求項３のいずれか１項に記載の電力線通信装置。
【発明の詳細な説明】
【技術分野】
【０００１】
本発明は、電力線通信装置に関する。
【背景技術】
【０００２】
電力線通信（ＰＬＣ：Ｐｏｗｅｒ  Ｌｉｎｅ  Ｃｏｍｍｕｎｉｃａｔｉｏｎ）は、５０Ｈｚまたは６０Ｈｚ等の商用周波数の電流が流れる電力線を通して、数ｋＨｚから数十ＭＨｚ以上の範囲の高周波信号を通信信号（以下、ＰＬＣ信号とも称する。）として伝送する通信方式である。
【０００３】
電力線通信に用いられる機器の一例として、たとえば、特開２００８−２８９０４号公報（特許文献１）には、以下のような電力線通信用の信号測定器が開示されている。すなわち、信号測定器は、電力線通信のためのＰＬＣ信号が重畳される電力線に対する接続部と、この接続部から供給された電力線通信の周波数帯域内の被測定信号を抽出するフィルタ部と、このフィルタ部で抽出された前記被測定信号の信号強度を測定するパワー測定部と、この測定部で得られた測定結果を外部に表示する表示部と、前記パワー測定部で測定可能なパワーレンジに適合する信号強度となるように前記被測定信号を増幅又は低減させて当該パワー測定部に供給する強度増減手段とを備える。
【先行技術文献】
【特許文献】
【０００４】
【特許文献１】特開２００８−２８９０４号公報
【発明の概要】
【発明が解決しようとする課題】
【０００５】
電力線通信に用いられる電力線には各種機器が接続されるため、電力線におけるノイズレベルの大きさは設置環境によって様々であり、ノイズレベルが大きい環境では、ＰＬＣ信号がノイズの影響を受けて伝送特性が劣化する場合がある。
【０００６】
このような伝送特性の劣化を防ぐために、ＰＬＣ信号の出力レベルを上げてＳ／Ｎ（Ｓｉｇｎａｌ  ｔｏ  Ｎｏｉｓｅ）比を改善する方法が考えられる。
【０００７】
しかしながら、このような方法では、電力線通信装置の消費電力が増大してしまい、好ましくない。
【０００８】
この発明は、上述の課題を解決するためになされたもので、その目的は、消費電力の増大を抑制しながら伝送特性を向上させることが可能な電力線通信装置を提供することである。
【課題を解決するための手段】
【０００９】
（１）上記課題を解決するために、この発明のある局面に係わる電力線通信装置は、通信信号を生成する通信部と、前記通信部によって生成された前記通信信号を受けるフィルタと、前記フィルタを通過した前記通信信号を増幅するアンプとを備え、前記フィルタは、前記通信信号の信号帯域の一部を減衰させる。
【００１０】
本発明は、このような特徴的な処理部を備える電力線通信装置として実現できるだけでなく、かかる特徴的な処理をステップとする方法として実現したり、かかるステップをコンピュータに実行させるためのプログラムとして実現したりすることができる。また、本発明は、電力線通信装置の一部または全部を実現する半導体集積回路として実現したり、電力線通信装置を含むシステムとして実現したりすることができる。
【発明の効果】
【００１１】
本発明によれば、消費電力の増大を抑制しながら伝送特性を向上させることができる。
【図面の簡単な説明】
【００１２】
【図１】図１は、本発明の実施の形態に係る電力線通信装置の構成を示す図である。
【図２】図２は、本発明の実施の形態に係る電力線通信装置の通信部が出力するＰＬＣ信号の周波数スペクトラムの一例を示す図である。
【図３】図３は、本発明の実施の形態に係る電力線通信装置のフィルタが出力するＰＬＣ信号の周波数スペクトラムの一例を示す図である。
【図４】図４は、本発明の実施の形態に係る電力線通信装置におけるＰＬＣ信号とノイズとの関係の一例を示す図である。
【発明を実施するための形態】
【００１３】
最初に、本発明の実施形態の内容を列記して説明する。
【００１４】
（１）本発明の実施の形態に係る電力線通信装置は、通信信号を生成する通信部と、前記通信部によって生成された前記通信信号を受けるフィルタと、前記フィルタを通過した前記通信信号を増幅するアンプとを備え、前記フィルタは、前記通信信号の信号帯域の一部を減衰させる。
【００１５】
このような構成により、通信信号の伝送特性の劣化を防ぐために、電力線への通信信号の出力レベルを上げた場合でも、アンプの消費電力の増大を抑制し、通信信号の出力レベルの増大に起因する電力線通信装置全体としての消費電力の増大を抑制することができる。したがって、消費電力の増大を抑制しながら伝送特性を向上させることができる。また、フィルタを用いたアナログ的な帯域制限を行うことにより、通信部とアンプとの間にフィルタを設けるだけの簡易な構成で消費電力の増大の抑制および伝送特性の向上を両立させることができる。
【００１６】
（２）好ましくは、前記電力線通信装置は、さらに、前記通信部と前記アンプとの間に接続され、前記通信部によって生成された前記通信信号が、前記フィルタを通過して前記アンプへ出力されるか、前記フィルタを通過せずに前記アンプへ出力されるかを切り替える切り替え回路を備える。
【００１７】
このような構成により、電力線通信装置の使用環境に応じて、フィルタの使用の有無を容易に切り替えることが可能となる。また、フィルタの使用の有無を自動的に切り替える構成に限らず、フィルタの使用の有無が固定される用途でも、切り替え回路を備える構成により、電力線通信装置として共通のハードウェアを使用しながら、適用先のシステムの要求等に応じて異なるタイプの装置を提供することができる。
【００１８】
（３）より好ましくは、前記通信部は、生成した前記通信信号が、前記フィルタを通過せずに前記アンプへ出力される場合と比べて、前記フィルタを通過して前記アンプへ出力される場合の前記通信信号のレベルを大きくする。
【００１９】
このような構成により、フィルタを使用する場合には通信信号のレベルを上げて伝送特性を向上させ、フィルタを使用しない場合には通信信号のレベルを下げてアンプにおける消費電力の増大を防ぐことができる。
【００２０】
（４）好ましくは、前記電力線通信装置は、太陽光発電装置およびパワーコンディショナの接続された電力線へ前記通信信号を出力する。
【００２１】
このように、電力線通信装置が太陽光発電システムの監視システムに用いられる場合には、電力線における主要なノイズとして、パワーコンディショナのスイッチングノイズが考えられることから、通信信号の帯域のうち、このスイッチングノイズの帯域をフィルタによって減衰させることにより、信号帯域をノイズレベルの小さい帯域に制限する。これにより、アンプによる消費電力の増大を防ぎながら、伝送特性を効果的に向上させることができる。
【００２２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２３】
図１は、本発明の実施の形態に係る電力線通信装置の構成を示す図である。
【００２４】
図１を参照して、電力線通信装置１０１は、通信部２１と、フィルタ１５と、切り替え回路１６と、アンプ１７とを備える。通信部２１は、制御部１１と、ＰＬＣ  ＭＡＣ処理部１２と、ＰＬＣ  ＰＨＹ処理部１３と、ＰＬＣアナログ処理部１４とを含む。
【００２５】
電力線通信装置１０１は、一例として、太陽光発電システムの監視システムに用いられる。この監視システムでは、子機である監視装置におけるセンサの情報が、電力線１６１を介して、親機である図示しない収集装置へ定期的または不定期に伝送される。監視装置は、太陽電池パネルの出力電流をセンサにより計測し、計測結果を示すセンサ情報を収集装置へ送信する。
【００２６】
電力線通信装置１０１は、この監視装置に内蔵され、電力線通信（ＰＬＣ：Ｐｏｗｅｒ  Ｌｉｎｅ  Ｃｏｍｍｕｎｉｃａｔｉｏｎ）を行うことにより収集装置と情報の送受信を行う。電力線通信装置１０１は、太陽光発電装置１５１およびＰＣＳ（パワーコンディショナ）２０１の接続された電力線へＰＬＣ信号を出力する。
【００２７】
ＰＣＳ２０１は、太陽光発電装置１５１における各太陽電池パネルで発電された直流電力を電力線１６１経由で受けると、受けた直流電力を交流電力に変換して系統へ出力する。
【００２８】
なお、電力線通信装置１０１は、太陽光発電システムに限らず、たとえば家庭およびオフィス等において各種電気機器が電力線に接続されるような環境で用いられてもよい。
【００２９】
電力線通信装置１０１において、通信部２１は、電力線通信方式に従って通信を行うことが可能である。より詳細には、通信部２１は、他の装置と電力線通信を行い、通信信号であるＰＬＣ信号を送受信する。
【００３０】
通信部２１は、送信すべきデータを含むＰＬＣ信号を生成して出力する。このデータは、たとえば上述のセンサ情報である。
【００３１】
より詳細には、通信部２１において、ＰＬＣ  ＭＡＣ処理部１２は、所定の通信プロトコルにおけるＭＡＣレイヤの処理として、制御部１１から受けたセンサ情報等に通信用の情報を付加する等の処理を行い、処理後のデータをＰＬＣ  ＰＨＹ処理部１３へ出力する。
【００３２】
ＰＬＣ  ＰＨＹ処理部１３は、所定の通信プロトコルにおけるＭＡＣレイヤの処理として、ＰＬＣ  ＭＡＣ処理部１２から受けたデータに通信用の情報を付加する等の処理を行い、処理後のデータをＰＬＣアナログ処理部１４へ出力する。
【００３３】
ＰＬＣアナログ処理部１４は、たとえばＤＡＣ（Ｄｉｇｉｔａｌ  ｔｏ  Ａｎａｌｏｇ  Ｃｏｎｖｅｒｔｅｒ）およびプリアンプを含み、ＰＬＣアナログ処理部１４から受けたデータを含むＰＬＣ信号を電力線通信の規格に従って生成し、生成したＰＬＣ信号を出力する。たとえば、ＰＬＣアナログ処理部１４は、スペクトラム拡散方式に従い、広帯域のＰＬＣ信号を生成する。ＰＬＣ信号は、プリアンプによって増幅され、フィルタ１５および切り替え回路１６へ出力される。たとえば、プリアンプは、制御部１１の制御に従ってゲインを切り替えることが可能である。
【００３４】
フィルタ１５は、通信部２１によって生成されたＰＬＣ信号を受ける。フィルタ１５は、たとえばバンドパスフィルタであり、通信部２１から受けたＰＬＣ信号の周波数成分のうち、所定の周波数帯域外の成分を減衰させる。なお、フィルタ１５は、ローパスフィルタであってもよいし、ハイパスフィルタであってもよい。
【００３５】
切り替え回路１６は、通信部２１とアンプ１７との間に接続され、通信部２１によって生成されたＰＬＣ信号が、フィルタ１５を通過してアンプ１７へ出力されるか、フィルタ１５を通過せずにアンプ１７へ出力されるかを切り替える。
【００３６】
より詳細には、切り替え回路１６は、フィルタ１５とアンプ１７との間に接続され、制御部１１から受けた制御信号に基づいて、フィルタ１５を通過したＰＬＣ信号をアンプ１７へ出力するか、通信部２１から受けたＰＬＣ信号をアンプ１７へ出力するかを切り替える。すなわち、切り替え回路１６は、通信部２１によって生成されたＰＬＣ信号の電力線１６１への出力において、フィルタ１５の使用の有無を切り替える。
【００３７】
なお、切り替え回路１６は、通信部２１とフィルタ１５との間に接続され、通信部２１から受けたＰＬＣ信号を、フィルタ１５へ出力するかアンプ１７へ出力するかを切り替える構成であってもよい。この場合、フィルタ１５とアンプ１７とが接続される。
【００３８】
アンプ１７は、フィルタ１５を通過したＰＬＣ信号を増幅する。より詳細には、アンプ１７は、切り替え回路１６から受けたＰＬＣ信号を増幅して電力線１６１へ出力する。
【００３９】
また、通信部２１は、電力線１６１から受けたアナログ信号である他の装置からのＰＬＣ信号をデジタル信号に変換し、変換したデジタル信号に対して電力線通信の規格に従う信号処理を行い、この信号処理後のデジタル信号から各種情報を抽出する。
【００４０】
ここで、通信部２１は、電力線１６１におけるノイズレベル、および受信したＰＬＣ信号の通信品質等の通信環境を取得可能である。
【００４１】
図２は、本発明の実施の形態に係る電力線通信装置の通信部が出力するＰＬＣ信号の周波数スペクトラムの一例を示す図である。図２において、横軸は周波数を示し、縦軸は電力を示す。ＰＬＣ信号の周波数スペクトラムは、実際にはなだらかな波形となるが、ここでは理解を容易にするために直線状で示している。
【００４２】
通信部２１は、生成したＰＬＣ信号が、フィルタ１５を通過せずにアンプ１７へ出力される場合と比べて、フィルタ１５を通過してアンプ１７へ出力される場合のＰＬＣ信号のレベルを大きくする。
【００４３】
具体的には、図２を参照して、通信部２１は、電力線１６１におけるノイズレベルが小さいと判断した場合、通常のレベルを有するＰＬＣ信号Ｓ１をフィルタ１５および切り替え回路１６へ出力する。一方、通信部２１は、電力線１６１におけるノイズレベルが大きいと判断した場合、通常のレベルよりも大きいレベルを有するＰＬＣ信号Ｓ２をフィルタ１５および切り替え回路１６へ出力する。
【００４４】
具体的には、通信部２１は、たとえばＰＬＣアナログ処理部１４におけるプリアンプのゲインを切り替えることにより、ＰＬＣ信号のレベルを調整する。なお、通信部２１は、アンプ１７のゲインを切り替える構成であってもよい。
【００４５】
また、通信部２１は、電力線１６１におけるノイズレベルが小さいと判断した場合、切り替え回路１６を制御して、通信部２１とアンプ１７とを接続する。一方、通信部２１は、電力線１６１におけるノイズレベルが大きいと判断した場合、フィルタ１５とアンプ１７とを接続する。
【００４６】
図３は、本発明の実施の形態に係る電力線通信装置のフィルタが出力するＰＬＣ信号の周波数スペクトラムの一例を示す図である。図３の見方は図２と同様である。
【００４７】
フィルタ１５は、通信部２１から受けたＰＬＣ信号の信号帯域の一部の帯域における周波数成分を減衰させる。すなわち、フィルタ１５の通過帯域は、ＰＬＣ信号の帯域の一部を含まない。
【００４８】
より詳細には、図３を参照して、フィルタ１５は、通信部２１から受けたＰＬＣ信号Ｓ２の信号帯域の一部を減衰させたＰＬＣ信号Ｓ３を出力する。
【００４９】
フィルタ１５を通過したＰＬＣ信号Ｓ３は、切り替え回路１６経由でアンプ１７へ出力される。
【００５０】
図４は、本発明の実施の形態に係る電力線通信装置におけるＰＬＣ信号とノイズとの関係の一例を示す図である。図４の見方は図２と同様である。図４は、ＰＬＣ信号の帯域のうち、低周波側におけるノイズＮのレベルが大きい場合を示している。
【００５１】
図４を参照して、電力線１６１におけるノイズレベルが大きいと通信部２１によって判断された場合における、アンプ１７から電力線１６１へ出力されるＰＬＣ信号Ｓ４のレベルは、電力線１６１におけるノイズレベルが小さいと通信部２１によって判断された場合における、アンプ１７から電力線１６１へ出力されるＰＬＣ信号Ｓ５のレベルと比べて大きくなる。
【００５２】
すなわち、通信部２１の出力するＰＬＣ信号のレベルは、たとえばアンプ１７の出力レベルがノイズレベルを上回る所定値に達するように設定される。
【００５３】
これにより、電力線通信装置１０１から出力されるＰＬＣ信号は、ノイズＮと比べてレベルの大きい信号帯域を有することとなり、一定レベルのＳ／Ｎ比を確保することができるため、伝送特性を向上させることができる。
【００５４】
また、フィルタ１５により、ＰＬＣ信号Ｓ４の信号帯域は、ＰＬＣ信号Ｓ５の信号帯域よりも狭くなっていることから、アンプ１７の消費電力の増大が抑制される。アンプ１７は、ＰＬＣ信号の送信時の電力線通信装置１０１における消費電流の大部分を占めることから、消費電力抑制の効果が大きい。すなわち、アンプ１７の前段にフィルタ１５を設ける構成により、アンプ１７の消費電力の増大を抑制し、ＰＬＣ信号の出力レベルの増大に起因する電力線通信装置１０１全体としての消費電力の増大を抑制することができる。
【００５５】
そして、電力線通信装置１０１では、前述のようにスペクトラム拡散方式を用いてＰＬＣ信号が生成されるため、信号帯域の一部をフィルタ１５によって減衰させても、原理的には通信を継続可能であり、このような状態において、図４に示すように電力線１６１におけるノイズの影響が軽減されるため、伝送特性が向上する可能性が高い。なお、電力線通信装置１０１は、スペクトラム拡散方式を用いる構成に限らず、信号帯域の一部を減衰させても通信を継続可能な通信方式を採用可能である。
【００５６】
また、たとえば、ＰＬＣ信号の帯域のうち、ノイズレベルの小さい帯域は、事前の測定で得られるか、あるいは、適用先のシステムから判断可能であり、当該帯域にフィルタ１５の通過帯域を設定すればよい。
【００５７】
具体的には、前述のように電力線通信装置１０１が太陽光発電システムの監視システムに用いられる場合には、電力線１６１における主要なノイズとして、ＰＣＳ２０１のスイッチングノイズが考えられることから、ＰＬＣ信号の帯域のうち、このスイッチングノイズの帯域をフィルタ１５によって減衰させることにより、信号帯域をノイズレベルの小さい帯域に制限する。これにより、アンプ１７による消費電力の増大を防ぎながら、伝送特性を効果的に向上させることができる。
【００５８】
また、電力線１６１におけるノイズレベルが小さい場合にはフィルタ１５を使用しない構成により、ＰＬＣ信号を無駄に減衰させず、伝送特性を維持することができる。また、電力線１６１におけるノイズレベルが小さい場合にはアンプ１７へのＰＬＣ信号のレベルを通常レベルに戻す構成により、アンプ１７の消費電力が無駄に増大することを防ぐことができる。
【００５９】
なお、本発明の実施の形態に係る電力線通信装置は、フィルタ１５の使用の有無を切り替える構成であるとしたが、これに限定するものではない。電力線通信装置１０１は、切り替え回路１６を備えず、また、制御部１１は、プリアンプ等を用いたＰＬＣ信号の出力レベルの切り替えを行わず、通信部２１からＰＬＣ信号Ｓ２が固定的に出力される構成であってもよい。すなわち、電力線通信装置１０１は、通信部２１と、フィルタ１５と、アンプ１７とからなる最小構成により、消費電力の増大を抑制しながら伝送特性を向上させるという本発明の目的を達成することが可能となる。
【００６０】
ところで、電力線通信に用いられる電力線におけるノイズレベルが大きい環境では、ＰＬＣ信号がノイズの影響を受けて伝送特性が劣化する場合がある。このような伝送特性の劣化を防ぐために、ＰＬＣ信号の出力レベルを上げてＳ／Ｎ比を改善する方法が考えられる。しかしながら、このような方法では、電力線通信装置の消費電力が増大してしまい、好ましくない。
【００６１】
これに対して、本発明の実施の形態に係る電力線通信装置では、通信部２１は、ＰＬＣ信号を生成する。フィルタ１５は、通信部２１によって生成されたＰＬＣ信号を受ける。アンプ１７は、フィルタ１５を通過したＰＬＣ信号を増幅する。そして、フィルタ１５は、ＰＬＣ信号の信号帯域の一部を減衰させる。
【００６２】
たとえば、ＰＬＣ信号の全帯域の出力レベルを上げるのではなく、フィルタ１５を用いてＰＬＣ信号の帯域をノイズレベルの比較的低い帯域に絞った上で出力レベルを上げることで、装置全体としては消費電力の増大を抑制し、また、信号帯域を削ることから残りの信号帯域のレベルを上げることが可能となり、伝送特性が向上する。
【００６３】
このような構成により、ＰＬＣ信号の伝送特性の劣化を防ぐために、電力線１６１へのＰＬＣ信号の出力レベルを上げた場合でも、アンプ１７の消費電力の増大を抑制し、ＰＬＣ信号の出力レベルの増大に起因する電力線通信装置１０１全体としての消費電力の増大を抑制することができる。
【００６４】
したがって、本発明の実施の形態に係る電力線通信装置では、消費電力の増大を抑制しながら伝送特性を向上させることができる。
【００６５】
また、フィルタ１５を用いたアナログ的な帯域制限を行うことにより、通信部２１とアンプ１７との間にフィルタ１５を設けるだけの簡易な構成で消費電力の増大の抑制および伝送特性の向上を両立させることができる。
【００６６】
また、本発明の実施の形態に係る電力線通信装置では、切り替え回路１６は、通信部２１とアンプ１７との間に接続され、通信部２１によって生成されたＰＬＣ信号が、フィルタ１５を通過してアンプ１７へ出力されるか、フィルタ１５を通過せずにアンプ１７へ出力されるかを切り替える。
【００６７】
このような構成により、電力線通信装置１０１の使用環境に応じて、フィルタ１５の使用の有無を容易に切り替えることが可能となる。
【００６８】
また、フィルタ１５の使用の有無を自動的に切り替える構成に限らず、フィルタ１５の使用の有無が固定される用途でも、切り替え回路１６を備える構成により、電力線通信装置１０１として共通のハードウェアを使用しながら、適用先のシステムの要求等に応じて異なるタイプの装置を提供することができる。
【００６９】
また、本発明の実施の形態に係る電力線通信装置では、通信部２１は、生成したＰＬＣ信号が、フィルタ１５を通過せずにアンプ１７へ出力される場合と比べて、フィルタ１５を通過してアンプ１７へ出力される場合のＰＬＣ信号のレベルを大きくする。
【００７０】
このような構成により、フィルタ１５を使用する場合にはＰＬＣ信号のレベルを上げて伝送特性を向上させ、フィルタ１５を使用しない場合にはＰＬＣ信号のレベルを下げてアンプ１７における消費電力の増大を防ぐことができる。
【００７１】
また、本発明の実施の形態に係る電力線通信装置では、電力線通信装置１０１は、太陽光発電装置およびパワーコンディショナの接続された電力線へＰＬＣ信号を出力する。
【００７２】
このように、電力線通信装置１０１が太陽光発電システムの監視システムに用いられる場合には、電力線１６１における主要なノイズとして、ＰＣＳ２０１のスイッチングノイズが考えられることから、ＰＬＣ信号の帯域のうち、このスイッチングノイズの帯域をフィルタ１５によって減衰させることにより、信号帯域をノイズレベルの小さい帯域に制限する。これにより、アンプ１７による消費電力の増大を防ぎながら、伝送特性を効果的に向上させることができる。
【００７３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【００７４】
以上の説明は、以下に付記する特徴を含む。
【００７５】
［付記１］
通信信号を生成する通信部と、
前記通信部によって生成された前記通信信号を受けるフィルタと、
前記フィルタを通過した前記通信信号を増幅するアンプとを備え、
前記フィルタは、前記通信信号の信号帯域の一部を減衰させ、
前記通信部は、スペクトラム拡散方式に従い前記通信信号を生成し、
前記通信部の出力する前記通信信号のレベルは、前記アンプの出力レベルがノイズレベルを上回る所定値に達するように設定される、電力線通信装置。
【符号の説明】
【００７６】
１１  制御部
１２  ＰＬＣ  ＭＡＣ処理部
１３  ＰＬＣ  ＰＨＹ処理部
１４  ＰＬＣアナログ処理部
１５  フィルタ
１６  切り替え回路
１７  アンプ
２１  通信部
１０１  電力線通信装置
１５１  太陽光発電装置
１６１  電力線
２０１  ＰＣＳ
【図１】
2018037710.tif 000003
【図２】
2018037710.tif 000004
【図３】
2018037710.tif 000005
【図４】
2018037710.tif 000006